【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
ソーシャル・ネットワーキング・システムが、前記ソーシャル・ネットワーキング・システムにおける複数のメタページを維持するメタページ維持工程であって、各メタページは、１つの同じエンティティに属する複数のページを表す、前記メタページ維持工程と、
１つのメタページによって表されたページを閲覧する前記ソーシャル・ネットワーキング・システムの閲覧ユーザから、該ページに関するソーシャル・コンテキスト情報の要求を受け取る要求受取工程と、
前記閲覧ユーザとつながりのある前記ソーシャル・ネットワーキング・システムの他のユーザによって行われた複数のアクションを集約する工程であって、集約された前記アクションは、前記ページと、前記メタページによって表されるとともに前記同じエンティティを表す他のページとの上で行われたアクションを含むアクション集約工程と、
集約された前記アクションに基づいて、要求された前記ソーシャル・コンテキスト情報を判断する工程であって、前記ソーシャル・コンテキスト情報は、前記閲覧ユーザとつながりのある前記ソーシャル・ネットワーキング・システムの前記他のユーザによる、集約された前記アクションを記述する情報判断工程と、
前記要求に応答して、前記ページに関する前記ソーシャル・コンテキスト情報を前記閲覧ユーザに提供する情報提供工程と、を備える方法。
【請求項２】
前記要求受取工程は、
前記ページに関連付けられた外部ウェブサイトに埋め込まれたウィジェットから、該ページに関する前記閲覧ユーザのためのソーシャル・コンテキスト情報の前記要求を含むアプリケーション・プログラミング・インターフェース（ＡＰＩ）呼出しを受け取る工程を含む、請求項１に記載の方法。
【請求項３】
前記情報判断工程は、
前記メタページに関連付けられたページ上で前記閲覧ユーザとつながりのある前記ソーシャル・ネットワーキング・システムの前記他のユーザによって行われたアクションを特定する工程と、
前記他のユーザによって行われた前記アクションを前記ページとの関連性によってランク付けする工程と、
所定の閾値を満たす複数の高ランクのアクションを選択する工程と、
該複数の高ランクのアクションに基づいて、ソーシャル・コンテキスト情報を判断する工程と、を含む請求項１に記載の方法。
【請求項４】
前記情報判断工程は、
前記メタページに関連付けられたページ上で前記閲覧ユーザとつながりのある前記ソーシャル・ネットワーキング・システムの前記他のユーザによって行われたアクションを特定する工程と、
前記他のユーザによって行われた前記アクションを前記ユーザとの親密度によってランク付けする工程と、
ランク付けされたアクションに基づいて、ソーシャル・コンテキスト情報を判断する工程と、を含む請求項１に記載の方法。
【請求項５】
前記情報提供工程は、
前記ソーシャル・コンテキスト情報を外部ウェブサイトに埋め込まれるウィジェットに提供する工程を含む、請求項１に記載の方法。
【請求項６】
前記情報提供工程は、
前記ソーシャル・コンテキスト情報を前記ソーシャル・ネットワーキング・システム上の前記ページ内における表示用に提供する工程を含む、請求項１に記載の方法。
【請求項７】
前記情報提供工程は、
前記ソーシャル・コンテキスト情報を前記ユーザに対応する前記ソーシャル・ネットワーキング・システム上のプロファイル・ページ内における表示用に提供する工程を含む、請求項１に記載の方法。
【請求項８】
コンピュータ・プログラムを含む非一時的なコンピュータ可読記憶媒体であって、該コンピュータ・プログラムは、
ソーシャル・ネットワーキング・システムが、前記ソーシャル・ネットワーキング・システムにおける複数のメタページを維持するメタページ維持工程であって、各メタページは、１つの同じエンティティに属する複数のページを表す、前記メタページ維持工程と、
１つのメタページによって表されたページを閲覧する前記ソーシャル・ネットワーキング・システムの閲覧ユーザから、該ページに関するソーシャル・コンテキスト情報の要求を受け取る要求受取工程と、
前記閲覧ユーザとつながりのある前記ソーシャル・ネットワーキング・システムの他のユーザによって行われた複数のアクションを集約する工程であって、集約された前記アクションは、前記ページと、前記メタページによって表されるとともに前記同じエンティティを表す他のページとの上で行われたアクションを含むアクション集約工程と、
集約された前記アクションに基づいて、要求された前記ソーシャル・コンテキスト情報を判断する工程であって、前記ソーシャル・コンテキスト情報は、前記閲覧ユーザとつながりのある前記ソーシャル・ネットワーキング・システムの前記他のユーザによる、集約された前記アクションを記述する情報判断工程と、
前記要求に応答して、前記ページに関する前記ソーシャル・コンテキスト情報を前記閲覧ユーザに提供する情報提供工程と、を行うための命令を含む、媒体。
【請求項９】
前記要求受取工程を行うための命令は、
前記ページに関連付けられた外部ウェブサイトに埋め込まれたウィジェットから、該ページに関する前記閲覧ユーザのためのソーシャル・コンテキスト情報の前記要求を含むアプリケーション・プログラミング・インターフェース（ＡＰＩ）呼出しを受け取る工程を行うための命令を含む、請求項８に記載の媒体。
【請求項１０】
前記情報判断工程を行うための命令は、
前記メタページに関連付けられたページ上で前記閲覧ユーザとつながりのある前記ソーシャル・ネットワーキング・システムの前記他のユーザによって行われたアクションを特定する工程と、
前記他のユーザによって行われた前記アクションを前記ページとの関連性によってランク付けする工程と、
所定の閾値を満たす複数の高ランクのアクションを選択する工程と、
該複数の高ランクのアクションに基づいて、ソーシャル・コンテキスト情報を判断する工程と、を行うための命令を含む、請求項８に記載の媒体。
【請求項１１】
前記情報判断工程を行うための命令は、
前記メタページに関連付けられたページ上で前記閲覧ユーザとつながりのある前記ソーシャル・ネットワーキング・システムの前記他のユーザによって行われたアクションを特定する工程と、
前記他のユーザによって行われた前記アクションを前記ユーザとの親密度によってランク付けする工程と、
ランク付けされたアクションに基づいて、ソーシャル・コンテキスト情報を判断する工程と、を行うための命令を含む、請求項８に記載の媒体。
【請求項１２】
前記情報提供工程を行うための命令は、
前記ソーシャル・コンテキスト情報を外部ウェブサイトに埋め込まれるウィジェットに提供する工程を行うための命令を含む、請求項８に記載の媒体。
【請求項１３】
前記情報提供工程を行うための命令は、
前記ソーシャル・コンテキスト情報を前記ソーシャル・ネットワーキング・システム上の前記ページ内における表示用に提供する工程を行うための命令を含む、請求項８に記載の媒体。
【請求項１４】
前記情報提供工程を行うための命令は、
前記ソーシャル・コンテキスト情報を前記ユーザに対応する前記ソーシャル・ネットワーキング・システム上のプロファイル・ページ内における表示用に提供する工程を行うための命令を含む、請求項８に記載の媒体。
【請求項１５】
各メタページに関連付けられている前記複数のページによって表される前記同じエンティティは、１つの特有の識別子を有し、前記複数のページの各々は前記同じエンティティの異なるインスタンスを表す、請求項１に記載の方法。
【請求項１６】
前記ソーシャル・コンテキスト情報は、前記閲覧ユーザとつながりのある前記ソーシャル・ネットワーキング・システムの他のユーザによる集約された１組の対話の文字による説明を含み、前記対話は前記同じエンティティに関連付けられている前記複数のページのいずれかとの対話である、請求項１に記載の方法。
【請求項１７】
前記アクション集約工程は、前記閲覧ユーザとつながりのある前記ソーシャル・ネットワーキング・システムの前記他のユーザによる複数の対話を集約する工程であって、前記対話は前記同じエンティティに関連付けられている前記複数のページのいずれかとの対話である、請求項１に記載の方法。